(57)【要約】      （修正有）【課題】一切の工具を用いることなく掃除口に対してネジ蓋を回転させることができるようにし、掃除口に容易に着脱させることができるようにしたネジ蓋を提供する。【解決手段】ネジ蓋１０に本体１、回転体２、カバー３を備えた。本体１は、周面に雄ネジ部１４を有する円盤状を呈し、中央部に開口部１１を備えている。回転体２は、平面部と円弧部とを有する略半円形状を呈し、本体１の開口部１１で平面部が本体１の上面に略面一になる収納位置と、円弧部が本体１の上面に露出する露出位置との間で回転自在にして本体１に支持させる。カバー３は、回転体２を収納した状態で本体１の底面における開口部１１を囲む範囲を気密にして本体１の底面に装着した。【選択図】図１
0003180491.tif 000002
【実用新案登録請求の範囲】
【請求項１】
周面に掃除口の雌ネジ部に螺合する雄ネジ部を有する円盤状を呈し、中央部に開口部を備えた本体と、
平面部と円弧部とを有する略半円形状を呈し、前記開口部で前記平面部が前記本体上面に略面一になる収納位置と前記円弧部が前記本体上面に露出する露出位置との間で回転自在にして前記本体に支持された回転体と、
前記回転体を収納した状態で前記本体の底面における前記開口部を囲む範囲を気密にして前記本体の底面に装着されるカバーと、を備えた掃除口用ネジ蓋。
【請求項２】
前記回転体は、側面に窪みを備えた請求項１に記載の掃除口用ネジ蓋。
【請求項３】
前記カバーは、前記回転体を前記収納位置及び前記露出位置のそれぞれで弾性的に保持する保持部材を備えた請求項１又は２に記載の掃除口用ネジ蓋。
【考案の詳細な説明】
【技術分野】
【０００１】
この考案は、排水管端に装着されたネジ式掃除口に螺着される掃除口用ネジ蓋に関する。
【背景技術】
【０００２】
排水管端に連結されて床面に埋設される掃除口は、排水管からの臭気の立ち上がりを防止するために、上面に着脱自在に装着される蓋を備えている。蓋は、歩行等の障害とならないように、掃除口の上面に装着した状態で床面に面一にされる。
【０００３】
蓋を掃除口の上面に着脱自在に装着する方式として、ネジ式掃除口がある。ネジ式掃除口は、外周面に雄ネジ部を形成したネジ蓋を、掃除口の内周面の雌ネジ部に螺合させる。ネジ式掃除口におけるネジ蓋の着脱時には、ネジ蓋を掃除口の上面で回転させる必要がある。
【０００４】
ところが、床面に面一にすべきネジ蓋の上面には回転操作のための突起物を形成することができない。このため、ネジ蓋の上面に２つの凹部が形成されており、ネジ蓋の着脱時には２つの凹部のそれぞれに嵌入する２本の爪部を備えた専用工具を準備しなければならない。
【０００５】
そこで、従来より、薄肉円盤の底面側に外周面が掃除口の内周面に全周にわたって密着する弾性体を備えた圧入蓋を用いる圧入式掃除口が製品化されている（例えば、特許文献１参照。）。弾性体の外周面はテーパ状に成形されており、掃除口の上面に載置した状態で圧入蓋を押圧することで、弾性体の外周面の上端部が弾性変形によって掃除口の内周面に圧接する。圧入蓋の薄肉円盤の周囲の一部には切欠き部が形成されており、汎用工具であるドライバの先端部を切欠き部に挿入して掃除口から圧入蓋を取り外す。掃除口に対する着脱時に圧入蓋を回転させる必要がなく、専用工具が不要になる。
【先行技術文献】
【特許文献】
【０００６】
【特許文献１】実公平０８−７１０５号公報
【考案の概要】
【考案が解決しようとする課題】
【０００７】
しかし、従来の圧入蓋は、掃除口から圧入蓋を取り外す際に、専用工具は必要としないが、汎用工具であるドライバを準備する必要がある。
【０００８】
この考案の目的は、専用工具は勿論、汎用工具を用いることなく掃除口に対して回転させることができ、掃除口に容易に着脱させることができるようにした掃除口用ネジ蓋を提供することにある。
【課題を解決するための手段】
【０００９】
この考案に係る掃除口用ネジ蓋は、本体、回転体、カバーを備えている。本体は、周面に掃除口の雌ネジ部に螺合する雄ネジ部を有する円盤状を呈し、中央部に開口部を備えている。回転体は、平面部と円弧部とを有する略半円形状を呈し、本体の開口部で平面部が本体上面に略面一になる収納位置と円弧部が本体上面に露出する露出位置との間で回転自在にして本体に支持される。カバーは、回転体を収納した状態で本体底面における開口部を囲む範囲を気密にして本体底面に装着される。
【００１０】
この構成によれば、露出位置に位置する回転体を手指で摘んで本体を掃除口に対して回転させることにより、工具を用いることなく本体が掃除口に着脱される。本体が掃除口に装着された状態で回転体を収納位置に位置させると本体上面は面一になり、回転体が掃除口の上方における歩行等の障害とならない。
【００１１】
この構成において、回転体の側面に窪みを設けることが好ましい。露出位置に位置する回転体を手指で摘まみ易くなり、本体の回転操作を容易に行うことができる。
【００１２】
また、カバーは、回転体を収納位置及び露出位置のそれぞれで弾性的に保持する保持部材を備えることが好ましい。回転体の収納位置と露出位置との間の移動に弾性的な規制力が作用し、作業者の意思によってのみ回転体を回転させることができ、誤って回転体が回転することを防止できる。
【図面の簡単な説明】
【００１３】
【図１】この考案の実施形態に係る掃除口用ネジ蓋及び掃除口の組み立て図である。
【図２】同掃除口用ネジ蓋の側面の分解図である。
【図３】同掃除口用ネジ蓋の動作状態を示す断面図である。
【図４】（Ａ）及び（Ｂ）は同掃除口用ネジ蓋の別の実施形態の互いに直交する方向の断面図である。
【考案を実施するための形態】
【００１４】
以下に、この考案の実施形態に係る掃除口用ネジ蓋について、図面を参照しつつ説明する。
【００１５】
図１及び図２に示すように、掃除口用ネジ蓋１０は、本体１、回転体２、カバー３及びパッキン４を備えている。本体１は、円盤状を呈し、周面に雄ネジ部１４が形成されている。本体１の中央部には、四隅を円弧にした矩形を呈する開口部１１が形成されている。開口部１１の内周面における互いに対向する２つの長辺面には、下方に開放した一対の軸受部１２（図１では一方の軸受部１２のみが現れる。）が形成されている。開口部１１の内周面における互いに対向する２つの短辺面には、下方に開放した一対の凹部１３Ａ，１３Ｂ（図１では凹部１３Ｂは現れない。）が形成されている。本体１の底面には、リブ１４が形成されている。リブ１４は、開口部１１を囲む円周上に全周にわたって下方に突出している。
【００１６】
回転体２は、平面部２１、円弧部２２を有する略半円形状を呈している。平面部２１は、開口部１１よりも僅かに小さくされている。回転体２は、互いに対向する２側面のそれぞれから突出した軸部２４（図１では一方の軸部２１のみが現れる。）を備えている。軸部２４は、軸受部１２に下方から嵌入する。回転体２の周面２３における一方の上端部には、突起２５が設けられている。突起２５は、回転体２の半径方向に突出しており、凹部１３Ａ及び凹部１３Ｂに選択的に嵌入する。
【００１７】
カバー３は、円盤部３１、突出部３２を備えている。突出部３２は、上面が円盤部３１の中央部に開放した半円状の空間部３３を有している。空間部３３は、内周面に半円状に連続する溝部３５が形成されている。円盤部３１には、空間部３３の上面を挟む位置に一対の孔部３４が形成されている。カバー３は、孔部３４を貫通する図外の固定ネジを介して環状のパッキン４を挟んで本体１の底面に取り付けられる。カバー３の円盤部３１には円形の段部３６が形成されている。
【００１８】
カバー３を本体１の底面に取り付けると、段部３６の内周面３８が、全周にわたってリブ１５の外周面１６に密着するとともに、溝部３５の両端は凹部１３Ａ及び１３Ｂに連続する。また、パッキン４により、本体１の底面における開口部１１を囲む範囲が、カバー３によって気密状態にされる。
【００１９】
図１に示すように、掃除口２０は、掃除口本体２０１、パッキン２０２を備えている。掃除口本体２０１の内周面には、雌ネジ部２０３及び段部２０４が形成されている。図３（Ａ）に示すように、雌ネジ部２０３に雄ネジ部１４を螺合させてネジ蓋１０を掃除口２０に装着すると、パッキン２０２によってネジ蓋１０の本体１と掃除口本体２０１との間の気密性が維持される。
【００２０】
回転体２が収納位置に位置している状態では、回転体２の突起２５は、本体１の凹部１３Ａに嵌入し、凹部１３Ａの上面との当接によって矢印Ｒ１方向の回転を規制されている。このとき、掃除口本体２０１の上面、本体１の上面、及び回転体２の平面部が床面に面一になり、歩行等の障害となることがない。なお、回転体２の軸部２４は、本体１の軸受部１２に下方から嵌入し、周面の下側がカバー３における段部３６内の上面に当接する。
【００２１】
図３（Ａ）に示す状態から、軸部２４を中心に回転体２を矢印Ｒ１方向に回転させると、回転体２は図３（Ｂ）に示す状態を通過して図３（Ｃ）に示す露出位置まで変位する。この間に、回転体２の突起２５は、カバー３の溝部３５内を通過する。回転体２が露出位置に達すると、突起２５は、本体１の凹部１３Ｂに嵌入し、凹部１３Ｂの上面との当接によって矢印Ｒ２方向の移動を規制される。図３（Ｃ）に示す状態では、本体１の開口部１１から上方に回転体２の一部が露出している。回転体２における本体１から露出した部分を手指で摘んで水平面内で回転させると、回転体２とともに本体１が回転する。
【００２２】
したがって、専用及び汎用の工具を用いることなく、ネジ蓋１０を回転させることができ、雄ネジ部１４と雌ネジ部２０３との螺合により、ネジ蓋１０を掃除口２０に容易に着脱することができる。
【００２３】
また、パッキン２０２によってネジ蓋１０の本体１と掃除口本体２０１との間の気密性が維持されるとともに、パッキン４によってネジ蓋１０における本体１とカバー３との気密性が維持されるため、排水管からの臭気の立ち上がりを防止することができる。また、床面の塵埃が開口部１１を経由して排水管内に落下することもない。
【００２４】
図４（Ａ）及び（Ｂ）に示すように、回転体２の両側面に窪み２６を形成することにより、露出位置に位置する回転体２を手指によって摘まみやすることができる。窪み２６は、貫通孔とすることもできる。
【００２５】
また、回転体２の両側面の２カ所に係止穴２７，２８を形成するとともに、ケース３に板バネ３９を備えることもできる。板バネ３９は、係止穴２７，２８に選択的に嵌入する凸部３９Ａを備えている。回転体２が図４（Ａ）中実線で示す収納位置に位置している時には凸部３９Ａが係止穴２７に嵌入し、回転体２が図４（Ａ）中二点鎖線で示す露出位置に位置している時には凸部３９Ａが係止穴２８に嵌入する。
【００２６】
回転体２を露出位置から収納位置に回転させる際、及び収納位置から露出位置に回転させる際には、板バネ３９の弾性力に抗して凸部３９Ａを係止穴２７又は係止穴２８から離脱させる必要がある。回転体２は、板バネ３９の弾性力によって収納位置及び露出位置に保持され、床面の面一状態を維持できるとともに、回転体２の操作性を向上することができる。
【００２７】
なお、係止穴２７，２８は、回転体２の少なくとも一方の側面に形成すればよく、必ずしも両側面に形成する必要はない。また、この発明の保持部材の形状又は構成は、板バネ３９に限るものではなく、収納位置及び露出位置で回転体２を保持する弾性力を作用させることができる他の形状又は構成を用いることができる。
【００２８】
上述の実施形態の説明は、すべての点で例示であって、制限的なものではないと考えられるべきである。本考案の範囲は、上述の実施形態ではなく、実用新案登録請求の範囲によって示される。さらに、本考案の範囲には、実用新案登録請求の範囲と均等の意味および範囲内でのすべての変更が含まれることが意図される。
【００２９】
１−本体
２−回転体
３−カバー
４−パッキン
１０−ネジ蓋
１１−開口部
１２−軸支部
１３Ａ，１３Ｂ−凹部
１４−雄ネジ部
２０−掃除口
２６−窪み
３９−板バネ（保持部材）
２０１−掃除口本体
２０３−雌ネジ部
【図１】
0003180491.tif 000003
【図２】
0003180491.tif 000004
【図３】
0003180491.tif 000005
【図４】
0003180491.tif 000006